(57)【要約】【課題】マルチキャリアシステムにおける測定イベントの処理方法及びシステムを提供すること。【解決手段】該方法は、移動端末がネットワーク側の機器が配置し送信した測定ジョブを受信し（Ｓ３０２）、前記移動端末が受信した測定ジョブに対応する隣接セルとサービングセルを確定し（Ｓ３０４）、前記移動端末が取得した隣接セルとサービングセルに測定を行い（Ｓ３０６）、測定結果が受信した測定ジョブに対応する測定イベントの報告条件を満たす場合、前記移動端末が前記測定結果を報告する（Ｓ３０８）ステップを含む。本発明によると、異なるサービングセルに測定イベントと測定ジョブを配置することによって、既存技術における測定イベントがメインサービングセルとサブサービングセルを区別できない問題を解決し、移動端末が複数のサービングセルの配置の下でも測定及び報告を行うことができる。【選択図】図３
2013534067.tif 000002
【特許請求の範囲】
【請求項１】
移動端末が、ネットワーク側の機器が配置し送信した測定ジョブを受信し、
前記移動端末が受信した測定ジョブに対応する隣接セルとサービングセルを確定し、前記移動端末が取得した隣接セルとサービングセルに測定を行い、
測定結果が受信した測定ジョブに対応する測定イベントの報告条件を満たす場合、前記移動端末が前記測定結果を報告するステップを含むことを特徴とするマルチキャリアシステムにおける測定イベントの処理方法。
【請求項２】
前記サービングセルがメインサービングセル又はサブサービングセルであることを特徴とする請求項１に記載の方法。
【請求項３】
前記移動端末が受信した測定ジョブに対応する隣接セルとサービングセルを確定することが、
前記測定ジョブに対応する測定イベントが高級長期進化ＬＴＥ−Ａ機器のみによって識別できる第１の測定イベントである場合、前記測定ジョブに対応するサービングセルはメインサービングセルであって、
前記測定ジョブに対応する測定イベントが長期進化ＬＴＥ機器とＬＴＥ−Ａ機器によって識別できる第２の測定イベントであって、前記移動端末がマルチキャリア集積状態で稼動している場合、前記測定ジョブに対応するサービングセルはサブサービングセルであることを含むことを特徴とする請求項１に記載の方法。
【請求項４】
前記第２の測定イベントに対応する測定ジョブの測定対象と前記サブサービングセルは同一の周波数に位置し、前記測定ジョブに対応する測定イベントが第２の測定イベントであって、前記移動端末がシングルキャリア集積状態で稼動している場合、前記測定ジョブに対応するサービングセルはメインサービングセルであることを特徴とする請求項３に記載の方法。
【請求項５】
前記移動端末が前記ネットワーク側の機器から送信された再配置メッセージを受信し、
前記移動端末がマルチキャリアからシングルキャリアに配置される場合、前記第２の測定イベントに対応する測定ジョブを削除し、又は、
前記移動端末がシングルキャリアからマルチキャリアに配置される場合、前記再配置メッセージの指示に応じて前記第２の測定イベントの対応する測定ジョブを追加するステップをさらに含むことを特徴とする請求項３に記載の方法。
【請求項６】
前記移動端末が前記ネットワーク側の機器から送信された再配置メッセージを受信した後、
前記移動端末がマルチキャリアからシングルキャリアに配置される場合、前記第２の測定イベントを前記第１の測定イベントに修正するステップをさらに含むことを特徴とする請求項５に記載の方法。
【請求項７】
前記移動端末が受信した測定ジョブに対応する隣接セルとサービングセルを確定することが、
受信した測定ジョブが第１種類の測定ジョブである場合、前記測定ジョブに対応するサービングセルはメインサービングセルであって、
受信した測定ジョブが第２種類の測定ジョブである場合、前記測定ジョブに対応するサービングセルはサブサービングセルであることを含み、
前記ネットワーク側の機器は測定イベントに基づいて前記メインサービングセルに関連する前記第１種類の測定ジョブと前記サブサービングセルに関連する前記第２種類の測定ジョブを配置し、前記第１の測定ジョブに対応する測定イベントはＬＴＥ機器とＬＴＥ−Ａ機器によって識別でき、前記第２の測定ジョブに対応する測定イベントはＬＴＥ−Ａ機器のみによって識別できることを特徴とする請求項１に記載の方法。
【請求項８】
前記移動端末が前記ネットワーク側の機器から送信された再配置メッセージを受信し、
前記移動端末がマルチキャリアからシングルキャリアに配置される場合、第２種類の測定ジョブを削除し、又は、
前記移動端末がシングルキャリアからマルチキャリアに配置される場合、前記再配置メッセージの指示に応じて第２種類の測定ジョブを追加するステップをさらに含むことを特徴とする請求項７に記載の方法。
【請求項９】
前記移動端末が受信した測定ジョブに対応する隣接セルとサービングセルを確定することが、
前記測定ジョブに対応する測定イベントがＬＴＥ−Ａ機器のみによって識別できる第３の測定イベントである場合、前記測定ジョブに対応するサービングセルはメインサービングセルであって、
前記測定ジョブに対応する測定イベントが第４の測定イベントであって、前記測定ジョブの測定対象が位置する周波数にメインサービングセル又はサブサービングセルが存在する場合、前記測定ジョブに対応するサービングセルは前記存在するメインサービングセル又はサブサービングセルであって、
前記測定ジョブに対応する測定イベントが第４の測定イベントであって、前記測定ジョブの測定対象が位置する周波数に前記メインサービングセルとサブサービングセルが存在しない場合、前記測定ジョブに対応するサービングセルは前記メインサービングセルであることを含み、
第４の測定イベントはＬＴＥ機器とＬＴＥ−Ａ機器によって識別できることを特徴とする請求項１に記載の方法。
【請求項１０】
前記移動端末が受信した測定ジョブに対応する隣接セルとサービングセルを確定することが、
前記測定ジョブに対応する測定イベントがＬＴＥ機器とＬＴＥ−Ａ機器によって識別できる第５の測定イベントである場合、前記測定ジョブに対応するサービングセルはメインサービングセルであって、
前記測定ジョブに対応する測定イベントがＬＴＥ−Ａ機器のみによって識別できる第６の測定イベントである場合、前記測定ジョブに対応するサービングセルはサブサービングセルであることを含むことを特徴とする請求項１に記載の方法。
【請求項１１】
前記移動端末が測定イベントに対応する隣接セル及びサービングセルの無線信号に測定を行い、その中、前記測定イベントに対応するサービングセルはサブサービングセルであって、前記サブサービングセルと前記隣接セルは同一周波数に位置し、
前記隣接セルの無線信号品質が前記サービングセルの無線信号品質より良好である場合、前記測定イベントをトリガーするステップを含むことを特徴とするマルチキャリアシステムにおける測定イベントの処理方法。
【請求項１２】
前記測定イベントをトリガーした後、
前記測定イベントの測定結果が報告条件を満たす場合、前記移動端末が前記測定結果を報告するステップをさらに含むことを特徴とする請求項１１に記載の方法。
【請求項１３】
ネットワーク側の機器と、移動端末とを含むマルチキャリアシステムにおける測定イベントの処理システムであって、
前記ネットワーク側の機器が、
メインサービングセルの測定ジョブとサブサービングセルの測定ジョブを配置する配置ブロックと、
前記移動端末が測定及び報告を行うように、配置した測定ジョブを移動端末に送信する第１の送信ブロックと、を含み、
前記移動端末が、
前記第１の送信ブロックから送信された配置した測定ジョブを受信する受信ブロックと、
受信した測定ジョブに対応する隣接セルとサービングセルを取得する取得ブロックと、
取得した隣接セルとサービングセルに測定を行う測定ブロックと、
測定結果が受信した測定ジョブに対応するイベントの報告条件を満たす場合、前記測定結果を報告する第２の送信ブロックと、を含むことを特徴とするマルチキャリアシステムにおける測定イベントの処理システム。
【発明の詳細な説明】
【技術分野】
【０００１】
本発明は、通信分野に関し、具体的には、マルチキャリアシステムにおける測定イベントの処理方法及びシステムに関する。
【背景技術】
【０００２】
移動通信システムにおいて、移動性要求を満たすために、ユーザ機器（User  Equipment、以下ＵＥと略称）はセル内においてネットワークと接続を構築した後、適切なセルを選択してハンドオーバーするように、該ＵＥは依然としてサービングセルと隣接セルの信号品質を測定しなければならない。ＥＵＴＲＡＮ（Evolved  Universal  Terrestrial  Radio  Access  Network、進化型ユニバーサル地上無線アクセスネットワーク）を例に、接続状態でのＵＥの測定フローは、ネットワーク側が測定制御メッセージをＵＥに送信し、その中、該測定制御メッセージに測定ＩＤ（Measurement  Identity、以下ＭＩＤと略称）、イベントタイプ、測定対象、測定すべき属性が含まれ、ＵＥは、測定制御メッセージにおける測定ＩＤに基づいてパラメータの初期化を行って、測定制御メッセージにおける全ての測定対象中の各測定対象各自の属性及び測定結果を取得し、ＵＥは初期化したパラメータ又は予定オフセット（オフセット）値に基づいて、各測定対象の測定結果についてイベント評価を行って、評価することによって全ての測定対象中の測定イベントのトリガー条件を満たす持続時間が予定の測定トリガー時間長（Time  To  Trigger、以下ＴＴＴと略称）以上である測定対象を確定し、ＵＥはこれらのイベントトリガー条件を満たす測定対象（この時、測定対象は既にセルに対応する）を該イベントに対応する測定ＩＤのセルリスト（cellsTriggeredList）に含ませ、ＵＥは確定した測定対象の測定結果に基づいて、測定レポートを生成してその測定レポートをネットワーク側に送信し、測定レポートに含まれる測定対象はいずれも該イベントに対応する測定ＩＤのセルリストから得たものである。
【０００３】
移動通信システムにおいて、測定対象は周波数又は周波数に位置するセル集積を単位とし、測定配置は測定ジョブから構成され、各測定ジョブは測定ＩＤと、測定対象と、報告配置（例えば、イベントトリガー又は周期的な報告）と、を含む。その中、測定ＩＤ（measurement  identity）に対応する測定対象（measurement  object）と対応する報告配置（reporting  configuration）が指示される。ＬＴＥ（Long  Term  Evolution、長期進化）システムにおいて、一つの測定対象は一つの周波数に対応し、報告配置にイベント的な報告と周期的な報告が定義されることができ、その中、具体的には、イベント的な報告タイプ又は周期的な報告タイプと、対応するパラメータを含み、例えばイベントは通常イベントのトリガー条件、離れ条件、イベントの特定オフセットＴｈｒｅｓｈ、イベントの遅延パラメータＨｙｓ、イベントのトリガー条件の持続時間、イベントのオフセット量Ｏｆｆｓｅｔ等を含む。
【０００４】
接続状態のＵＥの移動性要求を満たすため、ＵＥにサービングセルと隣接セルに測定を行ってイベントトリガー条件を満たす測定対象を報告するように要求していて、現在、サービングセルの測定イベントを定義していて、例えば、測定イベントのトリガー条件を、サービングセルの信号品質が予定オフセットを超える（Ａ１イベント）、又はサービングセルの信号品質が予定オフセット未満である（Ａ２イベント）と定義した。隣接セルの測定イベントについて、例えば、測定イベントのトリガー条件を、隣接セルの信号品質がオフセット値を超える（Ａ４イベント）、又は隣接セルの信号品質が現在のサービングセルの信号品質より予定のオフセット量分高い（Ａ３イベント）と定義した。
【０００５】
測定対象の測定について、異なるシステムが異なる測定方法を用いているが、いずれもセルの信号品質を反映している。ＬＴＥにおいて、ＵＥが測定するのは、参照信号受信電力（Reference  Signal  Received  Power、以下ＲＳＲＰと略称、単位はｄＢｍである）、又はＵＥが受信した参照信号品質（Reference  Signal  Received  Quality、以下ＲＳＲＱと略称、単位はｄＢである）である。ＷＣＤＭＡにおいて、ＵＥが測定するのは、共通パイロットチャネル受信信号コードパワー（Received  Signal  Code  Power、以下ＲＳＣＰと略称、単位はｄＢｍである）、又は共通パイロットチャネルのＥｃ/Ｎｏ（送信端がスペクトルを拡張した後、各コードトラック上の１チップ当たりのエネルギー対帯域内受信電力密度比）であって、単位はｄＢである。ＵＥが異なるセルの信号品質を比較する際、同一タイプの測定結果を比較しなければならない。測定対象がイベントトリガー条件を満たすか否かを評価する際、ＬＴＥに定義されたＡ３イベントを例にすると、隣接セルの信号品質がサービングセルよりあるオフセット値ほど高く、具体的な数学記述方式はＭｎ+Ｏｆｎ+Ｏｃｎ−Ｈｙｓ＞Ｍｓ+Ｏｆｓ+Ｏｃｓ+Ｏｆｆで、その中、各パラメータはＵＥが測定して得たＲＳＲＰ又はＲＳＲＱ（サービングセルはＭｓで、隣接セルはＭｎである）を含み、また、周波数の特定のオフセット量（frequency  specific  Offset、その中、サービングセルが位置する周波数はＯｆｓで、隣接セルはＯｆｓである）、セルの特定のオフセット量（cell  specific  Offset、その中、サービングセルが位置する周波数はＯｃｓで、隣接セルはＯｃｎである）をさらに含み、Ｏｆｆはオフセットで、Ｈｙｓは遅延である。
【０００６】
使用者のさらに高い帯域幅要求を満たすため、ＬＴＥ−Ａ（ＬＴＥ  Advance、高級長期進化）において、キャリアを集積する方法によってさらに大きい帯域幅を実現することが提案され、この時、図１に示すように、ＵＥは複数の連続又は非連続のキャリア（各キャリアをコンポーネントキャリアと称する。Component  Carrier）で稼動することができる。コンポーネントキャリアにおける一つがメインコンポーネントキャリア（Primary  Component  Carrier、以下ＰＣＣと略称）であって、その他のキャリアはサブコンポーネントキャリア（Secondary  Component  Carrier、以下ＳＣＣと略称）である。その中、各コンポーネントキャリアにおける一つのサービングセルがＵＥにサービスを提供し、ＰＣＣ上のサービングセルがメインサービングセル（Primary  Serving  Cell、以下Ｐｃｅｌｌと略称）で、ＳＣＣ上のサービングセルがサブサービングセル（Secondary  Serving  Cell、以下Ｓｃｅｌｌと略称）である。シングルキャリアシステムにおいて、サービングセルが一つしかないので、既存の測定配置（測定対象、測定ＩＤ、報告配置）にサービングセルを指示する必要がない。一方、マルチキャリアシステムの場合、サービングセルが複数存在するので、異なるサービングセルに異なる測定ジョブを配置し、前記関連技術は要求を満足することができず、つまり、既存の測定配置によるとメインサービングセルとサブサービングセルを区別することができない。
【発明の概要】
【発明が解決しようとする課題】
【０００７】
本発明は、関連技術において測定イベントがメインサービングセルとサブサービングセルを区別することのできない問題に鑑み、マルチキャリアシステムにおける測定イベントの処理方法及びシステムを提供することをその目的とする。
【課題を解決するための手段】
【０００８】
前記目的を実現するため、本発明の一態様によると、移動端末が、前記ネットワーク側の機器が配置し送信した測定ジョブを受信し、前記移動端末が受信した測定ジョブに対応する隣接セルとサービングセルを確定し、前記移動端末が取得した隣接セルとサービングセルに測定を行い、測定結果が受信した測定ジョブに対応する測定イベントの報告条件を満たす場合、前記移動端末が前記測定結果を報告するステップを含むマルチキャリアシステムにおける測定イベントの処理方法を提供する。
【０００９】
また、前記サービングセルはメインサービングセル又はサブサービングセルである。
【００１０】
また、前記移動端末が受信した測定ジョブに対応する隣接セルとサービングセルを確定することが、前記測定ジョブに対応する測定イベントが第１の測定イベントである場合、前記測定ジョブに対応するサービングセルはメインサービングセルであって、その中、前記第１の測定イベントはＬＴＥ−Ａ機器のみによって識別でき、前記測定ジョブに対応する測定イベントが第２の測定イベントであって、前記移動端末がマルチキャリア集積状態で稼動している場合、前記測定ジョブに対応するサービングセルはサブサービングセルであることを含み、その中、前記第２の測定イベントはＬＴＥ機器とＬＴＥ−Ａ機器によって識別できる。
【００１１】
また、前記第２の測定イベントに対応する測定ジョブの測定対象と前記サブサービングセルは同一の周波数に位置し、前記測定ジョブに対応する測定イベントが第２の測定イベントであって、前記移動端末がシングルキャリア集積状態で稼動している場合、前記測定ジョブに対応するサービングセルはメインサービングセルである。
【００１２】
また、前記方法が、前記移動端末が前記ネットワーク側の機器から送信された再配置メッセージを受信し、前記移動端末がマルチキャリアからシングルキャリアに配置される場合、前記第２の測定イベントに対応する測定ジョブを削除し、又は、前記移動端末がシングルキャリアからマルチキャリアに配置される場合、前記再配置メッセージの指示に応じて前記第２の測定イベントの対応する測定ジョブを追加するステップをさらに含む。
【００１３】
また、前記移動端末が前記ネットワーク側の機器から送信された再配置メッセージを受信した後、前記移動端末がマルチキャリアからシングルキャリアに配置される場合、前記第２の測定イベントを前記第１の測定イベントに修正するステップをさらに含む。
【００１４】
また、前記移動端末が受信した測定ジョブに対応する隣接セルとサービングセルを確定するステップが、受信した測定ジョブが第１種類の測定ジョブである場合、前記測定ジョブに対応するサービングセルはメインサービングセルであって、受信した測定ジョブが第２種類の測定ジョブである場合、前記測定ジョブに対応するサービングセルはサブサービングセルであることを含み、その中、前記ネットワーク側の機器は測定イベントに基づいて前記メインサービングセルに関連する前記第１種類の測定ジョブと前記サブサービングセルに関連する前記第２種類の測定ジョブを配置し、前記第１の測定ジョブに対応する測定イベントはＬＴＥ機器とＬＴＥ−Ａ機器によって識別でき、前記第２の測定ジョブに対応する測定イベントはＬＴＥ−Ａ機器のみによって識別できる。
【００１５】
また、前記方法は、前記移動端末が前記ネットワーク側の機器から送信された再配置メッセージを受信し、前記移動端末がマルチキャリアからシングルキャリアに配置される場合、第２種類の測定ジョブを削除し、又は、前記移動端末がシングルキャリアからマルチキャリアに配置される場合、前記再配置メッセージの指示に応じて第２種類の測定ジョブを追加するステップをさらに含む。
【００１６】
また、前記移動端末が受信した測定ジョブに対応する隣接セルとサービングセルを確定するステップが、前記測定ジョブに対応する測定イベントが第３の測定イベントである場合、前記測定ジョブに対応するサービングセルはメインサービングセルであって、その中、前記第３の測定イベントはＬＴＥ−Ａ機器のみによって識別でき、前記測定ジョブに対応する測定イベントが第４の測定イベントであって、前記測定ジョブの測定対象が位置する周波数にメインサービングセル又はサブサービングセルが存在する場合、前記測定ジョブに対応するサービングセルは前記存在するメインサービングセル又はサブサービングセルであって、前記測定ジョブに対応する測定イベントが第４の測定イベントであって、前記測定ジョブの測定対象が位置する周波数に前記メインサービングセルとサブサービングセルが存在しない場合、前記測定ジョブに対応するサービングセルは前記メインサービングセルであることを含み、その中、第４の測定イベントはＬＴＥ機器とＬＴＥ−Ａ機器によって識別できる。
【００１７】
また、前記移動端末が受信した測定ジョブに対応する隣接セルとサービングセルを確定するステップが、前記測定ジョブに対応する測定イベントが第５の測定イベントである場合、前記測定ジョブに対応するサービングセルはメインサービングセルであって、その中、前記第５の測定イベントはＬＴＥ機器とＬＴＥ−Ａ機器によって識別でき、前記測定ジョブに対応する測定イベントが第６の測定イベントである場合、前記測定ジョブに対応するサービングセルはサブサービングセルであることを含み、その中、前記第６の測定イベントはＬＴＥ−Ａ機器のみによって識別できる。
【００１８】
前記目的を実現するため、本発明の他の一態様によると、前記移動端末が測定イベントに対応する隣接セル及びサービングセルの無線信号に測定を行い、その中、前記測定イベントに対応するサービングセルはサブサービングセルであって、前記サブサービングセルと前記隣接セルは同一周波数に位置し、前記隣接セルの無線信号品質が前記サービングセルの無線信号品質より良好である場合、前記測定イベントをトリガーするステップを含む測定イベントの処理方法を提供する。
【００１９】
また、前記測定イベントをトリガーした後、前記測定イベントの測定結果が報告条件を満たす場合、前記移動端末が前記測定結果を報告するステップをさらに含む。
【００２０】
前記目的を実現するため、本発明の他の一態様によると、ネットワーク側の機器と、移動端末とを含むマルチキャリアシステムを提供する。その中、前記ネットワーク側の機器は、メインサービングセルの測定ジョブとサブサービングセルの測定ジョブを配置する配置ブロックと、前記移動端末が測定及び報告を行うように、配置した測定ジョブを移動端末に送信する第１の送信ブロックと、を含む。前記移動端末は、前記第１の送信ブロックから送信された配置した測定ジョブを受信する受信ブロックと、受信した測定ジョブに対応する隣接セルとサービングセルを取得する取得ブロックと、取得した隣接セルとサービングセルに測定を行う測定ブロックと、測定結果が受信した測定ジョブに対応するイベントの報告条件を満たす場合、前記測定結果を報告する第２の送信ブロックと、を含む。
【発明の効果】
【００２１】
本発明によると、以下の効果を実現することができる。
１）メインサービングセルとサブサービングセルに異なる測定イベントと測定ジョブを配置することによって、移動端末が測定ジョブに対応するサービングセルを確定でき、移動端末が複数のサービングセルの配置の下でも測定及び報告を行うことができる。
２）既存の測定配置を拡張し、ＬＴＥプロトコルに対する影響を減少し、プロトコルの修正及び端末の処理をできるだけ簡素化し、同時に、ＬＴＥシステムの後方互換性を保証することができる。
【図面の簡単な説明】
【００２２】
ここで説明する図面は本発明を理解するためのもので、本発明の一部を構成し、本発明における実施例と共に本発明を解釈し、本発明を不当に限定するものではない。
【図１】は、関連技術に係るＬＴＥ−Ａのキャリア集積を示す図である。
【図２】は、本発明の実施例に係るマルチキャリアシステムを示す図である。
【図３】は、本発明の実施例に係るマルチキャリアシステムにおける測定イベントの処理方法を示すフローチャートである。
【図４】は、本発明の実施例に係るマルチキャリアシステムにおける測定ジョブの配置状況の好適例を示す図である。
【図５】は、本発明の実施例に係るマルチキャリアシステムにおける測定ジョブの配置状況の他の好適例を示す図である。
【図６】は、本発明の実施例に係るマルチキャリアシステムにおける測定ジョブの配置状況の他の好適例を示す図である。
【図７】は、本発明の実施例に係るマルチキャリアシステムにおける測定ジョブの配置状況の他の好適例を示す図である。
【図８】は、本発明の実施例に係るマルチキャリアシステムにおける測定イベントの処理システムを示す図である。
【発明を実施するための形態】
【００２３】
以下、図面を参照しつつ実施例に合わせ、本発明を詳しく説明する。ここで、互いに矛盾しない限り、本願に記載の実施例及び実施例に記載の特徴を互いに組み合わせることができる。
【００２４】
図２は、本発明の実施例に係るマルチキャリアシステムを示す図である。図２に示すように、本発明の実施例に係るマルチキャリアシステムは、ネットワーク側の機器２０２と、移動端末２０４と、を含む。ネットワーク側の機器２０２が基地局であって、ＵＥが基地局に管轄されるキャリア集積したセルにて接続状態であることが好ましい。
【００２５】
本発明の実施例によると、主に、ネットワーク側の機器２０２と移動端末２０４の間の測定イベントの配置及び処理を改善した。以下、図面に合わせ、具体的な実施例を介して本発明の実施例に係る測定イベントの処理方法を説明する。
【００２６】
図３は、本発明の実施例に係るマルチキャリアシステムにおける測定イベントの処理方法を示すフローチャートである。図３に示すように、本発明の実施例に係るマルチキャリアシステムにおける測定イベントの処理方法は以下のステップを含む。
【００２７】
移動端末は、前記ネットワーク側の機器によって配置し、送信する測定ジョブを受信する（Ｓ３０２）。
【００２８】
前記移動端末は、受信した測定ジョブに対応する測定対象セルを確定し（Ｓ３０４）、その中、前記測定対象セルはサービングセル、又は、サービングセルと隣接セルである。例えば、当該好適な実施例において、測定対象セルが隣接セルとサービングセルであることができる。
【００２９】
前記移動端末は取得した測定対象セルに測定を行う（Ｓ３０６）。
【００３０】
測定結果が受信した測定ジョブに対応する測定イベントの報告条件を満たす場合、前記移動端末は前記測定結果を報告する（Ｓ３０８）。
【００３１】
既存技術において、シングルキャリアは一つのサービングセルに係わっているので、関連する測定イベントも該サービングセルのみに係わる。しかし、前記キャリア集積の技術を導入した後、前記関連技術は既に要求を満たすことができなくなり、即ち、既存の測定配置によると対応するサービングセルがメインサービングセルであるかそれともサブサービングセルであるかを区別することができない。一方、本発明の実施例によると、メインサービングセルとサブサービングセルに異なる測定イベント及び測定ジョブを配置することによって、移動端末が測定ジョブに対応するサービングセルを確定でき、移動端末が複数のサービングセルの配置の下で測定及び報告を行うことができる。
【００３２】
ネットワーク側の機器が専用シグナルを介して測定配置を各移動端末に送信することが好ましい。
【００３３】
前記サービングセルがメインサービングセル又はサブサービングセルであることが好ましい。
【００３４】
移動端末が、隣接セル及びサービングセルに測定を行う前、ネットワーク側と協議してメインサービングセルとサブサービングセルに異なる測定イベント及び対応する測定ジョブを配置することが好ましい。当該好適な実施例において、移動端末が測定ジョブ及び/又は測定イベントに対応するサービングセルを確定できるので、移動端末が複数のサービングセルの配置の下で測定及び報告を行うことができる。
【００３５】
前記移動端末が受信した測定ジョブに対応する測定対象セルを確定することは、前記測定ジョブに対応する測定イベントが第１の測定イベントである場合、前記測定ジョブに対応するサービングセルはメインサービングセルであって、その中、ＬＴＥ−Ａ機器のみによって前記第１の測定イベントを識別可能であって、前記測定ジョブに対応する測定イベントが第２の測定イベントであって、前記移動端末がマルチキャリア集積状態で稼動している場合、前記測定ジョブに対応するサービングセルはサブサービングセルであることを含み、その中、前記第２の測定イベントはＬＴＥ機器とＬＴＥ−Ａ機器によって識別できる。
【００３６】
前記第２の測定イベントに対応する測定ジョブの測定対象と前記サブサービングセルが同一の周波数に位置し、前記測定ジョブに対応する測定イベントが第２の測定イベントであって、前記移動端末がシングルキャリア集積状態で稼動している場合、前記測定ジョブに対応するサービングセルがメインサービングセルであることが好ましい。
【００３７】
前記方法が、前記移動端末が前記ネットワーク側の機器から送信された再配置メッセージを受信し、前記移動端末がマルチキャリアからシングルキャリアに配置される場合、前記第２の測定イベントに対応する測定ジョブを削除し、又は、前記移動端末がシングルキャリアからマルチキャリアに配置される場合、前記再配置メッセージの指示に応じて前記第２の測定イベントに対応する測定ジョブを追加するステップをさらに含むことが好ましい。
【００３８】
前記移動端末が前記ネットワーク側の機器から送信された再配置メッセージを受信した後、移動端末が再配置メッセージに基づいてハンドオーバーを行うことが好ましい。前記移動端末がマルチキャリアからシングルキャリアに配置される場合、前記第２の測定イベントを前記第１の測定イベントに修正することが好ましい。
【００３９】
前記形態によって、既存の測定イベントを拡張し、ＬＴＥプロトコルに対する影響を減少し、プロトコルの修正及び端末の処理をできるだけ簡素化し、同時に、ＬＴＥシステムの後方互換性を保証できる。
【００４０】
前記移動端末が受信した測定ジョブに対応する測定対象セルを確定することが、受信した測定ジョブが第１種類の測定ジョブである場合、前記測定ジョブに対応するサービングセルはメインサービングセルであって、受信した測定ジョブが第２種類の測定ジョブである場合、前記測定ジョブに対応するサービングセルはサブサービングセルであることを含むことが好ましく、その中、前記ネットワーク側の機器は測定イベントに基づいて、前記メインサービングセルに関連する第１種類の測定ジョブと前記サブサービングセルに関連する第２種類の測定ジョブを配置し、前記第１の測定ジョブに対応する測定イベントはＬＴＥ機器とＬＴＥ−Ａ機器によって識別でき、前記第２の測定ジョブに対応する測定イベントはＬＴＥ−Ａ機器のみによって識別できる。
【００４１】
受信した測定ジョブが第１種類の測定ジョブ又は第２種類の測定ジョブである場合、前記方法が、前記移動端末が前記ネットワーク側の機器から送信された再配置メッセージを受信し、前記移動端末がマルチキャリアからシングルキャリアに配置される場合、第２種類の測定ジョブを削除し、又は、前記移動端末がシングルキャリアからマルチキャリアに配置される場合、前記再配置メッセージの指示に応じて第２種類の測定ジョブを追加するステップをさらに含むことが好ましい。
【００４２】
前記移動端末が受信した測定ジョブに対応する測定対象セルを確定することが、前記測定ジョブに対応する測定イベントが第３の測定イベントである場合、前記測定ジョブに対応するサービングセルはメインサービングセルであって、その中、前記第３の測定イベントはＬＴＥ−Ａ機器のみによって識別でき、前記測定ジョブに対応する測定イベントが第４の測定イベントであって、前記測定ジョブの測定対象が位置する周波数にメインサービングセル又はサブサービングセルが存在すると、前記測定ジョブに対応するサービングセルは前記存在するメインサービングセル又はサブサービングセルであって、前記測定ジョブに対応する測定イベントが第４の測定イベントであって、前記測定ジョブの測定対象が位置する周波数に前記メインサービングセルとサブサービングセルが存在しないと、前記測定ジョブに対応するサービングセルは前記メインサービングセルであることを含むことが好ましく、その中、第４の測定イベントはＬＴＥ機器とＬＴＥ−Ａ機器によって識別できる。
【００４３】
前記移動端末が受信した測定ジョブに対応する測定対象セルを確定することが、前記測定ジョブに対応する測定イベントが第５の測定イベントである場合、前記測定ジョブに対応するサービングセルはメインサービングセルであって、その中、前記第５の測定イベントはＬＴＥ機器とＬＴＥ−Ａ機器によって識別でき、前記測定ジョブに対応する測定イベントが第６の測定イベントである場合、前記測定ジョブに対応するサービングセルはサブサービングセルであることを含むことが好ましく、その中、前記第６の測定イベントはＬＴＥ−Ａ機器のみによって識別できる。
【００４４】
前記測定ジョブに対応する測定イベントが第６の測定イベントである場合、該測定ジョブに対応する測定対象が前記サブサービングセルと同一の周波数に位置することが好ましい。
【００４５】
本発明の実施例において、前記ＵＥは配置された一つ又は複数の測定参照コンポーネントキャリアを取得する。実施例において、比較型の測定イベントに係わり、即ち、イベントのトリガー（プロトコルにて移行条件と呼ばれる）は参照セル（サービングセル）と隣接セルの無線信号によって決められ、例えばＬＴＥにおいて、前記測定イベントはＡ３、Ａ５とＢ２イベントを含み、次の表に示すとおりである。
【表１】
2013534067.tif 000003
【００４６】
以下、Ａ３イベントを例に、前記いくつかの配置方法の実施例を具体的に説明する。当業者にとっては、以下の方案をＡ５、Ｂ２又は他の引き続き導入される比較型イベントに適用できることは言うまでもない。
【００４７】
実施例１：既存の新しく定義されたＡ３-ＰＣＣイベントを基に、Ａ３イベントの解釈を再び訂正し、ＵＥの稼動がシングルキャリアからマルチキャリア又はマルチキャリアからシングルキャリアに移行する場合、Ａ３とＡ３-ＰＣＣとを相互に転換しなければならない。
【００４８】
本実施例において、Ａ３-ＰＣＣとＡ３イベントの定義は次の表に示すとおりである。
【表２】
2013534067.tif 000004
【００４９】
前記表において、マルチキャリア集積状態で稼動している場合、サービングセルは隣接セルが位置する周波数上のサービングセルであって、又はＳｃｅｌｌであることしかできないとは、サービングセルがメインサービングセルとサブサービングセルであるか、又は、サブサービングセルＳｃｅｌｌであることしかできないことを言う。
【００５０】
前記表に示すように、背景技術における需要に応じ、新しく定義されたＡ３-ＰＣＣイベントは隣接セルがメインサービングセルより１オフセット分良好であって、その中のＭｓ、ＯｆｓとＯｃｓはそれぞれＰｃｅｌｌの測定量、Ｐｃｅｌｌの周波数オフセット、Ｐｃｅｌｌのセルオフセットである。
【００５１】
元のＡ３イベントを修正し、ＵＥが異なる状態であるについて異なる解釈があり、ＵＥが非キャリア集積状態である場合、即ち、ＵＥがサービングセルを一つだけ具備していると、Ｐｃｅｌｌのみが存在し、Ｓｃｅｌｌがなく、Ａ３イベントは隣接セルが該唯一のサービングセルより１オフセット分良好であると認めることができ、該解釈はＬＴＥにおける元のＡ３イベントの解釈と一致する。ＵＥがキャリア集積状態である場合、ＵＥは一つ以上のサービングセルを具備し、Ｐｃｅｌｌと少なくとも一つのＳｃｅｌｌを具備する。この場合、一つのＡ３イベントについての対応する測定対象が一つのサービングセルが位置する周波数である場合、Ａ３イベントは該サービングセルをイベントトリガー条件として比較パラメータを提供する。
【００５２】
図４に示すように、ＵＥがマルチキャリア状態で稼動している場合、その中、ＣＣ１はＰｃｅｌｌが位置する周波数で、ＣＣ２はＳｃｅｌｌ１が位置する周波数で、ＣＣ３は隣接セルが位置する周波数で、四つの測定ジョブを配置し、具体的には次の表に示すとおりである。
【表３】
2013534067.tif 000005
【００５３】
前記場面において、ＵＥがシングルキャリアからマルチキャリアに、又はマルチキャリアからシングルキャリアに移行して稼動する場合、Ａ３とＡ３-ＰＣＣとを相互に転換しなければならない。即ち、Ａ３-ＰＣＣはマルチキャリア状態のみで使用し、即ち、複数のサービングセルがあるときに使用し、この時Ａ３イベントはＳｃｅｌｌの同周波数の比較イベントと解釈される。ＵＥがシングルキャリア状態に戻った場合、Ａ３イベントのみを使用し、その解釈はＬＴＥと一致する。
【００５４】
以下、マルチキャリアからシングルキャリアへの移行、及びシングルキャリアからマルチキャリアへの移行の２つの場面の例を説明する。
場面１：ＵＥがマルチキャリアからシングルキャリアに配置され、Ｓｃｅｌｌ１が削除され、従って、対応するＳｃｅｌｌをサービングセルとする測定ジョブも削除され、即ち、測定ジョブ３が削除され、基地局が削除の再配置メッセージにて測定ジョブ３の削除を指示することによって削除することができ、又はＵＥが基地局の再配置に応じ、自動的にＳｃｅｌｌに対応する測定ジョブ３を削除することもでき、前記測定ジョブの削除がＭＩＤの削除であることが好ましい。前記測定ジョブは次の表に示すように変化する。
【表４】
2013534067.tif 000006
【００５５】
ＵＥの後方互換性及びシングルキャリア状態でＬＴＥと一致性を保証するため、前記Ａ３-ＰＣＣイベントをＡ３イベントに変換しなければならず、即ち、ＵＥがシングルキャリア状態でＡ３-ＰＣＣイベントを使用してはいけない。ネットワーク側の明示的な再配置メッセージ、例えばＲＲＣ再配置メッセージによって最後のＳｃｅｌｌを削除し、シングルキャリア状態に移行する場合、前記のＡ３-ＰＣＣイベントをＡ３イベントに再配置する。シングルキャリア状態において、Ａ３イベントの解釈はＬＴＥと一致する。又はＵＥが自体の状態の変更に基づいて、最後のＳｃｅｌｌ（即ち、Ｓｃｅｌｌ１）が削除された後、暗黙的にＡ３-ＰＣＣイベントをＬＴＥのＡ３イベントに自動変換又は解釈し、次の表に示すとおりである。
【表５】
2013534067.tif 000007
【００５６】
場面２：ＵＥがシングルキャリアで稼動していて、その配置は図５に示すとおりで、ＣＣ１はサービングセルが位置する周波数で、ネットワークは内部アルゴリズム（例えば、ＵＥのサービス増加）に基づいて、ＵＥをマルチキャリア状態に再び配置し、その中、ＣＣ１はＰｃｅｌｌで、ＣＣ２はＳｃｅｌｌ１で、Ｓｃｅｌｌ１上の同周波数の測定ジョブ４を追加し、具体的に次の表に示すとおりである。この場合、元の測定ジョブ１、２と３のＡ３イベントをＡ３-ＰＣＣイベントに転換しなければならない。同じく、Ａ３からＡ３-ＰＣＣへの変換も場面１に記載のネットワークによって明示的に再配置するか、又はＵＥが暗黙的に自動変換することができる。
【表６】
2013534067.tif 000008
【００５７】
実施例２：新しいイベントを定義せず、Ａ３イベントを、Ｓｃｅｌｌに対応するＡ３イベントとＰｃｅｌｌに対応するＡ３イベントに組分けする。
【００５８】
本実施例において、新しいイベントを定義せず、ＬＴＥにおけるＡ３イベントをＳｃｅｌｌに対応するＡ３イベントとＰｃｅｌｌに対応するＡ３イベントに組分けする。ＵＥは図６の配置に従って、四つのＡ３イベントの測定ジョブを配置した。また、明示的（例えばネットワークが再配置シグナルによって指定）又は暗黙的（どのジョブがＰｃｅｌｌのジョブで、その他がＳｃｅｌｌのジョブであるか約定、又は相反に約定することができる）な形態で当該四つのＡ３イベントを組分けし、１、２と３をＰｃｅｌｌに属させ、４をＳｃｅｌｌ１に属させる。Ｐｃｅｌｌの測定ジョブについて、ＬＴＥの形態で配置することができ、即ち、デフォルト組分けであると認めることができる。Ｓｃｅｌｌの測定ジョブについて、後方互換を保持するように、組分けセルを追加して配置することができ、即ち、ＬＴＥ基地局に戻ると、新しく追加されたセルは識別できないので、無視することができる。マルチキャリアからシングルキャリアへの状態変更が発生した場合、又は相反する状態変更が発生した場合、Ｓｃｅｌｌに属される測定ジョブ情報を削除又は追加すればよい。本実施例において、測定ジョブが属されるセルが測定ジョブのサービングセルである。組分けすることによって、四つの測定ジョブを次の表に示すように解釈することができる。
【表７】
2013534067.tif 000009
【００５９】
実施例３：Ａ３-ＳＣＣ-Ｐｃｅｌｌイベントを、Ｓｃｅｌｌが位置する周波数上の隣接セルがＰｃｅｌｌより１オフセット分良好であると定義し、元のＡ３イベントをＰｃｅｌｌが位置する周波数又は配置周波数でない隣接セルがＰｃｅｌｌより１オフセット分良好である、又はＳｃｅｌｌが位置する周波数上の隣接セルがＳｃｅｌｌより１オフセット分良好であると解釈する。
【００６０】
比較型イベントについて、例えばＡ３イベントのサービングセルは規定の法則に従って確定し、法則に、対応する測定対象が位置する前記周波数にＰｃｅｌｌ又はＳｃｅｌｌを具備する場合、Ｐｃｅｌｌ又はＳｃｅｌｌをイベントトリガーのサービングセルとすると規定されていて、この場合、隣接セルは前記サービングセル以外のセルである。対応する測定対象が位置する前記周波数にＰｃｅｌｌとＳｃｅｌｌを具備しない場合、Ｐｃｅｌｌをイベントトリガーのサービングセルとする。本実施例における測定イベントの具体的な説明は次の表に示すとおりである。
【表８】
2013534067.tif 000010
【００６１】
図６に示すように、測定対象がＳｃｅｌｌが位置する周波数で、サービングセルがＰｃｅｌｌである測定ジョブであると、Ａ３-ＳＣＣ-Ｐｃｅｌｌイベントを使用する。各測定ジョブは次の表に示すとおりである。
【表９】
2013534067.tif 000011
【００６２】
実施例１と同じに、さらに、ＵＥがマルチキャリアからシングルキャリアに、又はシングルキャリアからマルチキャリアに再配置される場合、明示的又は暗黙的にＡ３-ＳＣＣ-ＰｃｅｌｌをＡ３に転換し、又はＡ３をＡ３-ＳＣＣ-Ｐｃｅｌｌに転換しなければならない。
【００６３】
実施例４：Ａ３-ＳＣＣイベントを、Ｓｃｅｌｌxが位置する周波数上の隣接セルがＳｃｅｌｌｘより１オフセット分良好であると新しく定義し、即ち、Ａ３-ＳＣＣをＳｃｅｌｌが位置する周波数に配置することしかできず、その隣接セルはＳｃｅｌｌが位置する周波数の隣接セルで、サービングセルはＳｃｅｌｌである。
【００６４】
元のＡ３イベントを、ある周波数上の隣接セルがＰｃｅｌｌより１オフセット分良好であると解釈し、具体的には次の表に示すとおりである。
【表１０】
2013534067.tif 000012
【００６５】
図７に示すように、対応する測定ジョブを設定した。具体的な測定ジョブは次の表に示すとおりである。
【表１１】
2013534067.tif 000013
【００６６】
マルチキャリアからシングルキャリアへの状態変更が発生した場合、又は相反する状態変更が発生した場合、Ｓｃｅｌｌ及びＡ３-ＳＣＣに対応する測定ジョブ情報を削除又は追加すればよい。例えば、実施例１、２に記載のように、測定ジョブの削除は、ネットワークが再配置メッセージにてＳｃｅｌｌの削除を指示すると共に、明示的に対応する測定ジョブの削除を指示することができれば、ＵＥがネットワークの指示に応じ、Ｓｃｅｌｌを削除すると共に、暗黙的に該Ｓｃｅｌｌに対応するＡ３-ＳＣＣ測定ジョブを削除することができる。
【００６７】
係るイベントが非比較型のサービングセルの測定イベントである場合、Ａ１、Ａ２を含み、次の表に示すとおりである。
【表１２】
2013534067.tif 000014
【００６８】
そのサービングセルは測定ジョブに対応する測定対象の周波数上のサービングセルで、即ち、測定ジョブがＡ１、Ａ２イベントに対応する場合、サービングセルは測定対象の周波数上のサービングセルである。次の表に示すように、測定ジョブ１、２はそれぞれＡ１とＡ２イベントに対応し、そのサービングセルは測定対象ＣＣ１上のサービングセルであって、本実施例においてはＰｃｅｌｌである。同じく、測定ジョブ３、４のサービングセルがＳｃｅｌｌ１であることを得ることができる。
【表１３】
2013534067.tif 000015
【００６９】
また、本発明によると、マルチキャリアシステムにおける測定イベントの処理方法の好適な実施例を提供する。当該好適な実施例において、測定イベントの処理方法は以下のステップを含む。
【００７０】
前記移動端末は測定イベントに対応する隣接セル及びサービングセルの無線信号に測定を行い（Ｓ１）、その中、前記測定イベントの対応するサービングセルはサブサービングセルで、前記サブサービングセルは前記隣接セルと同一周波数に位置する。
【００７１】
前記隣接セルの無線信号品質が前記サービングセルの無線信号品質より良好である場合、前記測定イベントをトリガーする（Ｓ２）。
【００７２】
既存技術において、シングルキャリアが一つのサービングセルのみに係わるので、関連する測定イベントも該サービングセルのみに係わっている。しかし、前記キャリア集積の技術を導入した後、前記関連技術は既に要求を満たすことができなくなり、即ち、既存の測定配置によると対応するサービングセルがメインサービングセルであるかそれともサブサービングセルであるかを区別することができなくなった。しかし、本発明の実施例によると、メインサービングセルとサブサービングセルに異なる測定イベントと測定ジョブを配置することによって、移動端末が測定ジョブに対応するサービングセルを確定でき、移動端末が複数のサービングセルの配置の下でも測定及び報告を行うことができる。
【００７３】
前記測定イベントをトリガーした後、前記測定イベントの測定結果が報告条件を満たすと、前記移動端末が前記測定結果を報告するステップをさらに含むことが好ましい。
【００７４】
移動端末は、隣接セル及びサービングセルに測定を行う前にネットワーク側の機器が専用シグナルを介して送信した測定配置を取得することが好ましく、その中、前記測定配置は測定ジョブを含む。前記測定ジョブと前記測定イベントは対応する。
【００７５】
移動端末が、隣接セル及びサービングセルに測定を行う前、ネットワーク側と協議してメインサービングセルとサブサービングセルに異なる測定イベント及び対応する測定ジョブを配置することが好ましい。当該好適な実施例において、移動端末は測定ジョブ及び/又は測定イベントに対応するサービングセルを確定することができるので、移動端末は複数のサービングセルの配置の下でも測定及び報告を行うことができる。
【００７６】
当該好適な実施例において、移動端末が測定ジョブ及び/又は測定イベントに対応するサービングセルを確定するステップは、図３〜７に示す実施例を参照することができるので、説明を省略する。
【００７７】
当該好適な実施例において、測定配置の再配置フローは図３〜７を参照することができるので、説明を省略する。
【００７８】
本発明によると、マルチキャリアシステムにおける測定イベントの処理システムの実施例を提供する。図８は、本発明の実施例に係わるマルチキャリアシステムにおける測定イベントの処理システムを示す図で、図８に示すように、該マルチキャリアシステムにおける測定イベントの処理システムは、ネットワーク側の機器８０２と、移動端末８０４と、を含む。
【００７９】
前記ネットワーク側の機器８０２が、配置ブロック８０２１と、第１の送信ブロック８０２２と、を含むことが好ましい。
【００８０】
前記移動端末８０４が、受信ブロック８０４１と、取得ブロック８０４２と、測定ブロック８０４３と、第２の送信ブロック８０４４と、を含むことが好ましい。
【００８１】
稼動状態において、配置ブロック８０２１はメインサービングセルの測定ジョブとサブサービングセルの測定ジョブを配置する。その後、第１の送信ブロック８０２２は、前記移動端末が測定及び報告を行うように、配置した測定ジョブを移動端末に送信する。
【００８２】
受信ブロック８０４１は、前記第１の送信ブロック８０２２から送信された配置した測定ジョブを受信する。その後、取得ブロック８０４２は受信した測定ジョブに対応する測定対象セルを取得し、その中、前記測定対象セルはサービングセルであって、又は、サービングセルと隣接セルであって、例えば、当該好適な実施例において、測定対象セルがサービングセルと隣接セルであることができる。その後、測定ブロック８０４３は取得した測定対象セルに測定を行う。その後、第２の送信ブロック８０４４は測定結果が受信した測定ジョブに対応するイベントの報告条件を満たす場合、前記測定結果を報告する。
【００８３】
本発明の実施例において、メインサービングセルとサブサービングセルに異なる測定イベントと測定ジョブを配置することによって、移動端末が測定ジョブに対応するサービングセルを確定でき、移動端末が複数のサービングセルの配置の下でも測定及び報告を行うことができる。
【００８４】
取得ブロック８０４２が受信した測定ジョブに対応する測定対象セルを取得することが以下の中の少なくとも一つを含む。
１）前記測定ジョブに対応する測定イベントが第１の測定イベントである場合、前記測定ジョブに対応するサービングセルはメインサービングセルであって、その中、前記第１の測定イベントはＬＴＥ−Ａ機器のみによって識別でき、前記測定ジョブに対応する測定イベントが第２の測定イベントであって、前記移動端末がマルチキャリア集積状態で稼動している場合、前記測定ジョブに対応するサービングセルはサブサービングセルであって、その中、前記第２の測定イベントはＬＴＥ機器とＬＴＥ−Ａ機器によって識別できる。
【００８５】
前記第２の測定イベントに対応する測定ジョブの測定対象と前記サブサービングセルが同一の周波数に位置し、前記測定ジョブに対応する測定イベントが第２の測定イベントであって、前記移動端末がシングルキャリア集積状態で稼動している場合、前記測定ジョブに対応するサービングセルがメインサービングセルであることが好ましい。
【００８６】
２）受信した測定ジョブが第１種類の測定ジョブである場合、前記測定ジョブに対応するサービングセルはメインサービングセルであって、受信した測定ジョブが第２種類の測定ジョブである場合、前記測定ジョブに対応するサービングセルはサブサービングセルであって、その中、前記ネットワーク側の機器は測定イベントに基づいて前記メインサービングセルに関連する第１種類の測定ジョブと前記サブサービングセルに関連する第２種類の測定ジョブを配置し、前記第１の測定ジョブに対応する測定イベントはＬＴＥ機器とＬＴＥ−Ａ機器によって識別でき、前記第２の測定ジョブに対応する測定イベントはＬＴＥ−Ａ機器のみによって識別できる。
【００８７】
３）前記測定ジョブに対応する測定イベントが第３の測定イベントである場合、前記測定ジョブに対応するサービングセルはメインサービングセルであって、その中、前記第３の測定イベントはＬＴＥ−Ａ機器のみによって識別でき、前記測定ジョブに対応する測定イベントが第４の測定イベントであって、前記測定ジョブの測定対象が位置する周波数にメインサービングセル又はサブサービングセルが存在する場合、前記測定ジョブに対応するサービングセルは前記存在するメインサービングセル又はサブサービングセルであって、前記測定ジョブに対応する測定イベントが第４の測定イベントであって、前記測定ジョブの測定対象が位置する周波数に前記メインサービングセルとサブサービングセルが存在しない場合、前記測定ジョブに対応するサービングセルは前記メインサービングセルであって、その中、第４の測定イベントはＬＴＥ機器とＬＴＥ−Ａ機器によって識別できる。
【００８８】
４）前記測定ジョブに対応する測定イベントが第５の測定イベントである場合、前記測定ジョブに対応するサービングセルはメインサービングセルであって、その中、前記第５の測定イベントはＬＴＥ機器とＬＴＥ−Ａ機器によって識別でき、前記測定ジョブに対応する測定イベントが第６の測定イベントである場合、前記測定ジョブに対応するサービングセルはサブサービングセルであって、その中、前記第６の測定イベントはＬＴＥ−Ａ機器のみによって識別できる。
【００８９】
前記四つの形態によって、既存の測定イベントを拡張し、ＬＴＥプロトコルに対する影響を減少し、プロトコルの修正及び端末の処理をできるだけ簡単化し、同時に、ＬＴＥシステムの後方互換性を保証できる。
【００９０】
前記移動端末８０４が、削除ブロック８０４５と、構築ブロック８０４６と、をさらに含むことが好ましい。
【００９１】
稼動状態において、取得ブロック８０４２はネットワーク側の機器８０２から送信された再配置メッセージを受信する。移動端末８０４は該再配置メッセージに基づいてキャリアの再配置を行う。前記移動端末がマルチキャリアからシングルキャリアに配置される場合、削除ブロック８０４５は前記第２の測定イベントに対応する測定ジョブを削除し、前記移動端末がシングルキャリアからマルチキャリアに配置される場合、構築ブロック８０４６は前記第２の測定イベントに対応する測定ジョブを構築する。
【００９２】
なお、図におけるフローチャートに示すステップを１組の計算機がコマンド実行可能の計算機システムにおいて実行することができ、また、フローチャートにそのロジック順を示しているが、フローチャートに示した又は説明したステップを他の順で実行することもできる。
【００９３】
当業者にとっては、前記本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００９４】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013534067.tif 000016
【図２】
2013534067.tif 000017
【図３】
2013534067.tif 000018
【図４】
2013534067.tif 000019
【図５】
2013534067.tif 000020
【図６】
2013534067.tif 000021
【図７】
2013534067.tif 000022
【図８】
2013534067.tif 000023
【国際調査報告】
2013534067.tif 000024
2013534067.tif 000025
2013534067.tif 000026
2013534067.tif 000027